(57)【要約】【課題】グリーストラップをコンクリートスラブの開口に設置する際に、粉塵及び振動並びに騒音が発生しないようにして環境を良好に保持するようにし、且つ近隣に迷惑を掛けず、しかも工期の長期化を招来せず、費用が安価となるようにする。【解決手段】グリーストラップ６の上部外周側に設けられた固定板部６ａに切欠き１０を形成し、コンクリートスラブ４に形成した開口５にグリーストラップ６を挿入して固定板部６ａをコンクリートスラブ４の上面に支持させることにより形成されるグリーストラップ６と開口５との間の隙間に、切欠き１０からモルタルを注入し得るよう構成する。【選択図】図１
2005256443.tif 000002
【特許請求の範囲】
【請求項１】
箱状体の上部側外周に設けられた固定板部に切欠きを形成し、コンクリートスラブに形成した開口に前記箱状体を挿入して前記固定板部をコンクリートスラブの上面に支持させることにより形成される前記箱状体と開口との間の隙間に、前記切欠きからモルタルを注入し得るよう構成したことを特徴とする固定板付き箱状体。
【請求項２】
箱状体の平面形状は多角形状である請求項１記載の固定板付き箱状体。
【請求項３】
切欠きは固定板部のひとつの辺に対し少なくとも１箇所設けられている請求項２記載の固定板付き箱状体。
【請求項４】
箱状体の平面形状は円筒形状である請求項１記載の固定板付き箱状体。
【請求項５】
箱状体はグリーストラップ、オイルトラップ、ブラスタートラップのうちの何れかである請求項１、２又は３記載の固定板付き箱状体。
【請求項６】
箱状体の上部側外周に設けられた固定板部に切欠きを形成した固定板付き箱状体を、コンクリートスラブに形成した開口に挿入して前記固定板部をコンクリートスラブの上面に支持させ、前記箱状体と開口との間の隙間に、前記切欠きからモルタルを注入して前記隙間を塞ぐことを特徴とする固定板付き箱状体の設置方法。
【発明の詳細な説明】
【技術分野】
【０００１】
本発明はグリーストラップ等の固定板付き箱状体及び固定板付き箱状体の設置方法に関するものである。
【背景技術】
【０００２】
例えば、建築物のコンクリートスラブ内へグリーストラップを設置する際には、予めコンクリートスラブにグリーストラップに対応した形状の開口部を設け、該開口部にグリーストラップを設置することが行われている。図３〜図９はグリーストラップの従来の設置の手順を示す図である。
【０００３】
すなわち、建築物においてグリーストラップが設置されるコンクリートスラブを形成する際には、先ず、図３に示すように、下端内周に固定板部１ａが設けられた木製或はプラスチック製の型枠１を形成し、該型枠１を図４に示すように予め設置した鉄板製のデッキプレートや木製のスラブ型枠２等の上の所定位置に載置し、固定板部１ａのネジ孔１ｂにネジ３を挿通させてデッキプレートや木製のスラブ型枠２等に螺合することにより、型枠１をデッキプレート２に固定し、コンクリートを打設してコンクリートスラブ４を形成し、ネジ３を取外して型枠１をコンクリートスラブ４から撤去すると共に、型枠１を取外した部分におけるデッキプレート２を切断して除去する。このため、この部分には図５に示すように開口５が形成される。２が木製のスラブ型枠の場合はこれを取り外すことにより開口５が形成される。
【０００４】
この開口５に図６に示すように、グリーストラップ６を挿入し、グリーストラップ６の上端側外周に設けた固定板部６ａを介して、当該グリーストラップ６をコンクリートスラブ４上面に載置すると、開口５内周壁とグリーストラップ６側面との間には、隙間Ｘが生じる。この隙間Ｘは消防法により防火区画とする必要がある等のため、モルタルにより塞ぐ必要がある。しかし、グリーストラップ６を開口５に挿入してコンクリートスラブ４に支持させた後では、開口５にモルタルを注入することができない。
【０００５】
このため、開口５にグリーストラップ６を挿入する前に、図７に示すように、開口５の上部周縁を各辺毎に所定の長さに亘りはつってモルタル注入口７を形成し、しかる後、図８に示すように、開口５にグリーストラップ６を挿入して固定板部６ａを介しグリーストラップ６をコンクリートスラブ４に支持させ、開口５の下端を塞ぐように、グリーストラップ６の下部側全周に、上面がデッキプレート２又は、コンクリートスラブ４の下面に貼着され且つ側面がグリーストラップ６の側面に貼着されるパット８を取付け、次いで、モルタル注入口７の上部からモルタル９を注入して、開口５の隙間Ｘ(図６参照)及びモルタル注入口７に、図９に示すようにモルタル９を充填し、隙間Ｘを埋めるようにしている。なお、パット８はアルミニウム箔に強力な粘着剤とクッション材を貼り合せたもので、モルタル９が固化してから撤去するか、或は取付けたままにしておく。
【０００６】
コンクリートスラブにグリーストラップを設置するようにした先行技術文献としては例えば、特許文献１、２がある。
【特許文献１】特開２００３−３４３００５号公報
【特許文献２】特開２０００−２９１１２５号公報
【発明の開示】
【発明が解決しようとする課題】
【０００７】
図３〜図９に示す従来のグリーストラップ及びグリーストラップの設置方法には以下のような問題がある。すなわち、開口５の周縁をはつる際には、専門業者に作業を依頼しなければならないため、工期と費用が嵩み、又、粉塵が発生して環境が悪化し人体に有害であるため、換気対策が必要でこの点からも費用が嵩み、はつりにより生じたコンクリート屑の処理にも費用が嵩み、更には、振動、騒音により近隣に迷惑を与える、等の問題がある。
【０００８】
特許文献１、２では、グリーストラップとコンクリートスラブの間には隙間が形成されたままであるが、隙間をなくすためにモルタルを注入する場合には、上記従来技術と同様の問題がある。
【０００９】
本発明は、上記実情に鑑み、粉塵及び振動並びに騒音の発生を防止し得て環境を良好に保持し得られ、且つ近隣に迷惑を掛けず、しかも工期の長期化を招来せず、費用が安価な固定板付き箱状体を提供することを目的としてなしたものである。
【課題を解決するための手段】
【００１０】
請求項１の固定板付き箱状体は、箱状体の上部側外周に設けられた固定板部に切欠きを形成し、コンクリートスラブに形成した開口に前記箱状体を挿入して前記固定板部をコンクリートスラブの上面に支持させることにより形成される前記箱状体と開口との間の隙間に、前記切欠きからモルタルを注入し得るよう構成したものである。
【００１１】
請求項２の固定板付き箱状体においては、箱状体の平面形状は多角形状であり、請求項３の固定板付き箱状体においては、切欠きは固定板部のひとつの辺に対し少なくとも１箇所設けられており、請求項４の固定板付き箱状体においては、箱状体の平面形状は円筒形状であり、請求項５の固定板付き箱状体においては、箱状体はグリーストラップ、オイルトラップ、ブラスタートラップのうちの何れかである。
【００１２】
請求項６の固定板付き箱状体の設置方法は、箱状体の上部側外周に設けられた固定板部に切欠きを形成した固定板付き箱状体を、コンクリートスラブに形成した開口に挿入して前記固定板部をコンクリートスラブの上面に支持させ、前記箱状体と開口との間の隙間に、前記切欠きからモルタルを注入して前記隙間を塞ぐようにしている。
【発明の効果】
【００１３】
本発明の請求項１〜６記載の固定板付き箱状体及び固定板付き箱状体の設置方法によれば、コンクリートスラブにおける開口周縁をはつる作業や、はつったコンクリート屑を処理する作業を必要としないため、工期を短縮できて費用を節約でき、又、はつり作業に伴う粉塵や騒音の発生がないため、環境を良好に保持することができて近隣に迷惑を掛ける虞もなくなる、等種々の優れた効果を奏し得る。
【発明を実施するための最良の形態】
【００１４】
以下、本発明の実施の形態を図示例と共に説明する。
図１及び図２は本発明を実施する形態の一例である。
本図示例においては、図１、図２に示すように、グリーストラップ６の上端部近傍に設けた固定板部６ａには、各辺の長手方向中間部を切除して切欠き１０が設けられている。切欠き１０の長さＬ１は約１５０〜２００ｍｍとし、奥行き長さＬ２は、グリーストラップ６を開口５に所定状態に挿入した際に、図１に示すように、平面視で開口５が現出する長さ（約８０ｍｍ）とする。
【００１５】
而して、コンクリートスラブ４に従来と同様な手順で形成した開口５にグリーストラップ６を設置する場合には、従来の場合と同様、グリーストラップ６を開口５に挿入して固定し、開口５の下端を塞ぐように、グリーストラップ６の下部側全周に、上面がデッキプレート２の下面に貼着され且つ側面がグリーストラップ６の側面に貼着されるパット８を取付け、切欠き１０から開口５にモルタルを注入する。
【００１６】
又、固定板部６ａの切欠き１０には、モルタル１１を固定板部６ａと面一になるように盛付け、更に、固定板部６ａの上面からコンクリートスラブ４の上面所定範囲には防水シート１２を貼着する。
【００１７】
上記図示例によれば、コンクリートスラブ４に設けた開口５の周縁をはつる作業や、はつったコンクリート屑を処理する作業を必要としないため、工期を短縮できて費用を節約でき、又、はつり作業に伴う粉塵や騒音の発生がないため、環境を良好に保持することができて近隣に迷惑を掛ける虞もなくなる。
【００１８】
なお、本発明の実施の形態においては、固定板付き箱状体としてグリーストラップを用いる場合について説明したが、グリーストラップ以外のオイルトラップ、ブラスタートラップ等の固定板付き箱状体に対しても適用することができること、平面形状が四角形状のものに限らず、円筒形状、多角形状のものに対しても適用することができること、モルタルを注入するための切欠きの形状は固定板部外側縁部が開放されている場合について説明したが、固定板部外側縁部が開放されていない孔形状の切欠きに対しても適用することができること、その他、本発明の要旨を逸脱しない範囲内において種々変更を加え得ることは勿論である。
【図面の簡単な説明】
【００１９】
【図１】本発明の固定板付き箱状体及び固定板付き箱状体の設置方法の実施の形態の一例の平面図である。
【図２】本発明の固定板付き箱状体及び固定板付き箱状体の設置方法の実施の形態の一例の断面斜視図である。
【図３】グリーストラップを設置する開口をコンクリートスラブに形成する際に従来用いている型枠の斜視図である。
【図４】図３に示す型枠をデッキプレートに固定してコンクリートを打設した状態を示す断面図である。
【図５】図４の状態から型枠を取外すことで作成されたコンクリートスラブの開口の断面斜視図である。
【図６】図５に示す開口に周縁をはつることなくグリーストラップを設置したと仮定した場合の断面図である。
【図７】図５に示す開口の周縁の一部をはつった状態のはつり部分を示す断面図である。
【図８】図７に示す開口にグリーストラップを設置した状態を示す断面図である。
【図９】図８に示す開口にグリーストラップを挿入して隙間及びはつった箇所にモルタルを注入した状態を示す断面図である。
【符号の説明】
【００２０】
４    コンクリートスラブ
５    開口
６    グリーストラップ（箱状体）
６ａ    固定板部
１０    切欠き
Ｘ    隙間
【図１】
2005256443.tif 000003
【図２】
2005256443.tif 000004
【図３】
2005256443.tif 000005
【図４】
2005256443.tif 000006
【図５】
2005256443.tif 000007
【図６】
2005256443.tif 000008
【図７】
2005256443.tif 000009
【図８】
2005256443.tif 000010
【図９】
2005256443.tif 000011